(57)【特許請求の範囲】
【請求項１】
吊下げ部を備えた吊下げ杆に設けられた基台の周方向複数箇所に、複数本のハンガーアームが、横向きで外方に突出する吊下げ姿勢と起立させた格納姿勢とに揺動切り替え自在に設けられている物干し器であって、
前記基台と各ハンガーアームの基部との間に、前記格納姿勢に切り替えられたハンガーアームの落し込み移動を許容する落し込み融通手段と、このハンガーアームの落し込み移動で当該ハンガーアームを揺動切り替え不能な状態で格納姿勢に保持する格納保持手段とが設けられ、
前記落し込み融通手段が、前記基台に設けたハンガーアームの揺動支点となる揺動支点軸と、当該揺動支点軸に対して回動並びにアーム長手方向に摺動自在に嵌合される状態でハンガーアームの基部に形成された長孔とから構成され、
前記格納保持手段が、前記各ハンガーアームの基部にそれの基端側に向って突出形成される係止突起と、格納姿勢にあるハンガーアームの基部の係止突起に対して落し込み方向で相対向する状態で基台に形成された係合凹部とから構成され、
前記係合凹部の外周側を構成する外周壁部と前記係止突起とが、前記ハンガーアームを格納姿勢としたときに、前記外周壁部の内周面と前記係止突起とが接触状態となって、前記ハンガーアームが自重で落し込み移動することが妨げられて、人為的な押しこみ操作力により落し込み移動が可能となるように構成されている物干し器。
【請求項２】
前記ハンガーアームの基部には、当該ハンガーアームの上面との間で干し物を挾持保持するクリップ部が一体形成され、このクリップ部の基端側に前記係止突起が一体形成されている請求項１記載の物干し器。
【請求項３】
前記ハンガーアームの基部には、前記基台の揺動支点軸の脱着を許容する状態で長孔の内周面の一部と基部の外周面の一部とに亘る脱着通路が連通形成されている請求項１記載の物干し器。
【請求項４】
前記各ハンガーアームの係止突起が落し込み方向から係合する基台側の前記係合凹部が、基台の周方向に沿う環状に構成されている請求項１記載の物干し器。
【請求項５】
前記吊下げ杆の上端部には、格納姿勢に切り替えられた複数のハンガーアームを設定隣接間隔で出入り自在に遊嵌保持する複数の凹部を備えた隣接間隔規制部材が設けられている請求項１〜４のいずれか１項に記載の物干し器。
【請求項６】
前記外周壁部が直径方向外方に弾性変形するように構成してある請求項１〜５のいずれか１項に記載の物干し器。
【発明の詳細な説明】
【技術分野】
【０００１】
本発明は、洗濯物等を干す吊下げ式の物干し器で、詳しくは、吊下げ部を備えた吊下げ杆に設けられた基台の周方向複数箇所に、複数本のハンガーアームが、横向きで突出する吊下げ姿勢と起立させた格納姿勢とに揺動切り替え自在に設けられている物干し器に関する。
【背景技術】
【０００２】
従来の物干し器では、前記基台に、各ハンガーアームの基端部を水平軸芯周りで起伏揺動自在に枢支する揺動支点軸を設けるとともに、前記吊下げ杆の上部側には、格納姿勢に切り替えられた各ハンガーアームと揺動方向から脱着可能な状態で嵌合して、各ハンガーアームを格納姿勢に抜止め保持する嵌合凹部を備えた円板状のアーム保持部材を設けていた（特許文献１、２参照）
【先行技術文献】
【特許文献】
【０００３】
【特許文献１】実開平１−７９４９１号公報
【特許文献２】実用新案登録第３０５０７４９号公報
【発明の概要】
【発明が解決しようとする課題】
【０００４】
従来の物干し器では、吊下げ杆の上部側に設けたアーム保持部材の嵌合凹部に、格納姿勢に切り替えられたハンガーアームの上部側が揺動方向から脱着可能な状態で嵌合保持されているため、格納姿勢にあるハンガーアームに揺動方向の外力が作用したとき、ハンガーアームがアーム保持部材の嵌合凹部から簡単に外れて横向きで突出する吊下げ姿勢に揺動する不都合があった。
【０００５】
本発明は、上述の実状に鑑みて為されたものであって、その主たる課題は、吊下げ杆に設けられた基台と各ハンガーアームの基部との間での合理的な改良をもって、格納姿勢にあるハンガーアームに揺動方向の外力が作用したときでも、ハンガーアームを格納姿勢に確実に保持することのできる物干し器を提供する点にある。
【課題を解決するための手段】
【０００６】
本発明による第１の特徴構成は、吊下げ部を備えた吊下げ杆に設けられた基台の周方向複数箇所に、複数本のハンガーアームが、横向きで外方に突出する吊下げ姿勢と起立させた格納姿勢とに揺動切り替え自在に設けられている物干し器であって、
前記基台と各ハンガーアームの基部との間に、前記格納姿勢に切り替えられたハンガーアームの落し込み移動を許容する落し込み融通手段と、このハンガーアームの落し込み移動で当該ハンガーアームを揺動切り替え不能な状態で格納姿勢に保持する格納保持手段とが設けられ、前記落し込み融通手段が、前記基台に設けたハンガーアームの揺動支点となる揺動支点軸と、当該揺動支点軸に対して回動並びにアーム長手方向に摺動自在に嵌合される状態でハンガーアームの基部に形成された長孔とから構成され、前記格納保持手段が、前記各ハンガーアームの基部にそれの基端側に向って突出形成される係止突起と、格納姿勢にあるハンガーアームの基部の係止突起に対して落し込み方向で相対向する状態で基台に形成された係合凹部とから構成され、前記係合凹部の外周側を構成する外周壁部と前記係止突起とが、前記ハンガーアームを格納姿勢としたときに、前記外周壁部の内周面と前記係止突起とが接触状態となって、前記ハンガーアームが自重で落し込み移動することが妨げられて、人為的な押しこみ操作力により落し込み移動が可能となるように構成されている点にある。
【０００７】
上記構成によれば、前記基台に対してハンガーアームを格納姿勢に揺動操作すると、前記落し込み融通手段によって格納姿勢に切り替えられたハンガーアームが自重又は押し込み操作力で落し込み移動し、この落し込み移動したハンガーアームが前記格納保持手段によって揺動切り替え不能な状態で格納姿勢に保持される。
【０００８】
そのため、格納姿勢にあるハンガーアームに揺動方向の外力が作用したときでも、ハンガーアームを自重に抗して一旦持ち上げなければ吊下げ姿勢側に揺動させることはできない。
【０００９】
また、格納姿勢にあるハンガーアームを吊下げ姿勢に切り替える場合には、ハンガーアームを自重に抗して一旦持ち上げ、吊下げ姿勢側に少し揺動させた時点で手を放すと、ハンガーアームは自重で揺動して吊下げ姿勢に切り替わるから、実質的な操作としてはハンガーアームの持ち上げ操作で済む。
【００１０】
したがって、ハンガーアームの切り替え操作の簡便化を維持しながら、格納姿勢にあるハンガーアームに揺動方向の外力が作用したときでも、ハンガーアームを格納姿勢に確実に保持することができる。
【００１１】
本構成では、前記落し込み融通手段が、前記基台に設けたハンガーアームの揺動支点となる揺動支点軸と、当該揺動支点軸に対して回動並びにアーム長手方向に摺動自在に嵌合される状態でハンガーアームの基部に形成された長孔とから構成されている。
【００１２】
上記構成によれば、前記基台に設けた揺動支点軸と嵌合するハンガーアームの基部側の枢支孔をアーム長手方向に沿う長孔に形成するだけの簡単な改造をもって、基台と各ハンガーアームの基部との間に、格納姿勢に切り替えられたハンガーアームの落し込み移動を許容する落し込み融通手段を製造コスト面で有利に構成することができる。
【００１３】
本構成では、前記格納保持手段が、前記ハンガーアームの基部にそれの基端側に向って突出形成される係止突起と、格納姿勢にあるハンガーアームの基部の係止突起に対して落し込み方向で相対向する状態で基台に形成された係合凹部とから構成されている。
【００１４】
上記構成によれば、前記基台に対してハンガーアームを格納姿勢に揺動操作すると、前記落し込み融通手段によって格納姿勢に切り替えられたハンガーアームが自重又は押し込み操作力で落し込み移動し、ハンガーアームの基部に形成された基端側に突出する係止突起が基台に形成された係合凹部に落し込み方向から係合し、格納姿勢にあるハンガーアームが吊下げ姿勢への揺動切り替えが不能な状態に保持される。
【００１５】
したがって、前記ハンガーアームの基部に係止突起を突出形成し、基台に係合凹部を形成するだけであるから、基台と各ハンガーアームの基部との間に、ハンガーアームの落し込み移動で当該ハンガーアームを揺動切り替え不能な状態で格納姿勢に保持する格納保持手段を製造コスト面で有利に構成することができる。
さらに本構成では、係合凹部の外周側を構成する外周壁部の内周面と係止突起とを接触状態として、人為的な押しこみ操作力で落し込み移動させるように構成してあるため、ハンガーアームを格納姿勢に確実に保持することができる。
【００１６】
本発明による第２の特徴構成は、前記ハンガーアームの基部には、当該ハンガーアームの上面との間で干し物を挾持保持するクリップ部が一体形成され、このクリップ部の基端側に前記係止突起が一体形成されている点にある。
【００１７】
上記構成によれば、ハンガーアームの上面との間で干し物を挾持保持するクリップ部を利用して、前記格納保持手段の係止突起を製造コスト面で有利に製作することができる。
【００１８】
本発明による第３の特徴構成は、前記ハンガーアームの基部には、前記基台の揺動支点軸の脱着を許容する状態で長孔の内周面の一部と基部の外周面の一部とに亘る脱着通路が連通形成されている点にある。
【００１９】
上記構成によれば、前記基台の揺動支点軸に対してハンガーアームの基部に形成されている脱着通路を押し込むことにより、ハンガーアームの基部の長孔を基台の揺動支点軸に簡単に装着することができ、組付け作業の能率化を図ることができる。
【００２０】
本発明による第４の特徴構成は、前記各ハンガーアームの係止突起が落し込み方向から係合する基台側の前記係合凹部が、基台の周方向に沿う環状に構成されている点にある。
【００２１】
上記構成によれば、前記係合凹部としては、ハンガーアームの係止突起が落し込み係合されたとき、ハンガーアームの揺動切り替えを不能にする機能があればよい。この点に着目して、各ハンガーアームの係止突起が落し込み係合される係合凹部を環状に構成しても、ハンガーアームの揺動切り替えを不能にする機能には問題はなく、寧ろ基台側の構造の簡素化を図ることができる。
【００２２】
本発明による第５の特徴構成は、前記吊下げ杆の上端部には、格納姿勢に切り替えられた複数のハンガーアームを設定隣接間隔で出入り自在に遊嵌保持する複数の凹部を備えた隣接間隔規制部材が設けられている点にある。
上記構成によれば、前記吊下げ杆の上端部に設けられた隣接間隔規制部材の各凹部に、格納姿勢に切り替えられた各ハンガーアームの上端部側が揺動方向から出入り自在に入り込み保持され、格納姿勢にある各ハンガーアームが設定隣接間隔で体裁良く格納される。
しかも、前記隣接間隔規制部材の各凹部は、各ハンガーアームの上端部側を遊嵌状態で保持するから、格納姿勢に切り替えられた各ハンガーアームの落し込み移動を阻害することがなく、所期のハンガーアームの格納姿勢での保持機能を確実に発揮させることができる。
【００２３】
本発明による第６の特徴構成は、前記外周壁部が直径方向外方に弾性変形するように構成した点にある。
上記構成によれば、ハンガーアームを格納姿勢により確実に保持することができる。
【図面の簡単な説明】
【００２４】
【図１】本発明の第１実施形態を示す物干し器の横掛け形態の全体斜視図
【図２】物干し器の横掛け形態の全体側面図
【図３】物干し器の格納形態の斜視図
【図４】物干し器の全体の分解斜視図
【図５】ハンガーアーム群が吊下げ杆の下段位置にあるときの側面図（ａ）とハンガーアーム群を吊下げ杆の上段位置に位置変更したときの側面図（ｂ）
【図６】ハンガーアーム群が吊下げ杆の下段位置にあるときの要部の断面図（ａ）とハンガーアーム群が吊下げ杆の上段位置にあるときの要部の断面図（ｂ）
【図７】図６におけるＶＩＩ−ＶＩＩ線断面図
【図８】基台取付け箇所の断面図
【図９】基台の構成部材の分解拡大斜視図
【図１０】ハンガーアームが吊下げ姿勢にあるときの要部の断面図（ａ）とハンガーアームを格納姿勢に揺動させたときの要部の断面図（ｂ）及びハンガーアームを落し込み係合させたときの要部の断面図（ｃ）
【図１１】吊下げフックの取付け部の分解斜視図
【図１２】吊下げフックの取付け部の側面図
【図１３】ハンガーアームを格納姿勢に揺動させたときの物干し器の上半側の縦断面図（ａ）とこの縦断面図のＸＩＩＩｂ−ＸＩＩＩｂ線断面図
【図１４】本発明の第２実施形態の物干し器を示し、ハンガーアームを格納姿勢に揺動させたときの要部の断面図（ａ）とハンガーアームを落し込み係合させたときの要部の断面図（ｂ）
【発明を実施するための形態】
【００２５】
〔第１実施形態〕
図１〜図１３は、物干し器の一例である合成樹脂製のパラソル型物干し器を示し、吊下げ部の一例である吊下げフック１を上部に備えた支柱状の吊下げ杆２には、当該吊下げ杆２の中心軸線Ｙ周りで回転並びに上下方向に摺動可能な基台３が設けられ、この基台３の周方向複数箇所には、複数本（当該実施形態では１９本）のハンガーアーム４が、外方に向って横向きで放射状に突出する吊下げ姿勢と起立させた格納姿勢とに揺動切り替え自在に設けられている。
【００２６】
前記吊下げ杆２と基台３との間には、吊下げ杆２の上下方向の複数位置（当該実施形態では２位置）で基台３を選択的に係合保持可能な取付け位置変更手段Ａが設けられ、前記基台３と各ハンガーアーム４の基部４Ａとの間には、前記格納姿勢に切り替えられたハンガーアーム４の落し込み移動を許容する落し込み融通手段Ｂと、このハンガーアーム４の落し込み移動で当該ハンガーアーム４を揺動切り替え不能な状態で格納姿勢に保持する格納保持手段Ｃとが設けられている。
【００２７】
さらに、前記吊下げ杆２の上端部には、格納姿勢に切り替えられた複数のハンガーアーム４を設定隣接間隔で出入り自在に遊嵌保持する複数の凹部５ａを備えた隣接間隔規制部材５が設けられているとともに、前記吊下げ杆２の上部と吊下げフック１との間に、吊下げフック１が吊下げ杆２の直上又は略直上に位置する中央掛止位置と、格納姿勢に切り替えられたハンガーアーム４の隣接間を通して吊下げフック１が外方に突出する横掛止位置とに変更可能な掛止位置変更手段Ｄが設けられている。
【００２８】
前記吊下げ杆２は、合成樹脂で円柱状に成形されているとともに、この吊下げ杆２の上下端部を除く略全長には、図７に示すように、中心軸線Ｙを通る直径方向の線分上において直径方向の両方向に開口する一対の幅広の軽量化用の中央条溝２ａと、中心軸線Ｙから前記線分に直交する方向に偏倚した両側部位置において前記中央条溝２ａと平行又は略平行に直径方向の両方向に開口する二対の細幅の軽量化用の側部条溝２ｂとが形成されている。
【００２９】
前記中央条溝２ａの一方は、前記基台３の上下移動を摺動案内する昇降ガイド溝に構成されているとともに、前記吊下げ杆２の下端部には、他のパラソル型物干し器の吊下げフック１を掛止可能な略Ｕ字状の連結環６が揺動自在に設けられている。
【００３０】
前記基台３は、図８、図9に示すように、吊下げ杆２に対して上下方向に摺動自在に外嵌される昇降筒体７と、当該昇降筒体７の中間部に一体形成された上側鍔部７Ａに載置した状態で回転自在に外嵌保持される円盤状の下側取付けカバー８、及び、当該下側取付けカバー８の筒軸部８Ａに一体回転状態で外嵌固定される上側取付けカバー９とを主要構成として備えている。
【００３１】
前記昇降筒体７のうち、上側鍔部７Ａの上面よりも上方に位置する上側筒体部７Ｂの長さは、下側取付けカバー８の筒軸部８Ａの全長よりも若干大きな寸法に構成されているとともに、前記上側筒体部７Ｂの上端部の周方向複数箇所（当該実施形態では４箇所）には、下側取付けカバー８の筒軸部８Ａの上端面８ａに係合する抜止め用の第１係合爪７ａと、各第１係合爪７ａを下側取付けカバー８の筒軸部８Ａ内を通過可能な係止解除状態にまで径方向内方に縮径変形させるためのスリット７ｂが形成されている。
【００３２】
前記昇降筒体７の中間部の下方側部位には、前記上側鍔部７Ａよりも小径の下側鍔部７Ｃが一体形成され、この下側鍔部７Ｃと上側鍔部７Ａとの間に位置する中央筒体部７Ｄが、前記取付け位置変更手段Ａの係止操作部材２３の装着部に構成されているとともに、前記昇降筒体７の下側鍔部７Ｃの下面よりも下方に位置する下側筒体部７Ｅが、物干し器全体を支持するためのグリップ部に構成されている。
【００３３】
前記下側取付けカバー８は、直径方向の中心側が上方側に少し湾曲形成されている円環状底板部８Ｂと、当該円環状底板部８Ｂの内周縁に一体形成される前記筒軸部８Ａ、及び、円環状底板部８Ｂの上面の外周縁近くに一体形成される背丈の小さな外側筒部８Ｃとから構成されている。
【００３４】
前記筒軸部８Ａの外周面の周方向複数箇所（当該実施形態では４箇所）には、これに上側取付けカバー９の内側上部に位置する小径筒部９Ａが所定深さまで上方から外嵌されたとき、前記小径筒部９Ａの下端部の周方向複数箇所（当該実施形態では４箇所）に形成された抜止め用の第２係合爪９ａが係合する係合凹部８ｂが形成されているとともに、前記外側筒部８Ｃの外周面の上端部には、これに上側取付けカバー９の外側下部に位置する大経筒部９Ｂが所定深さまで上方から外嵌されたとき、当該大径筒部９Ｂの内周面に形成された浅い環状係止溝９ｂに係合する小さな環状係止突起８ｄが一体形成されている。
【００３５】
前記上側取付けカバー９は、前記小径筒部９Ａの上端に一体形成された天板部９Ｃと前記大径筒部９Ｂとが、前記各ハンガーアーム４の基部４Ａに対する装着空間９Ｄを区画形成する複数の仕切り壁部９Ｅをもって一体形成されている。
【００３６】
前記各ハンガーアーム４は、図１〜図４に示すように、上下方向での曲げ剛性が高く、且つ、基台３の上側取付けカバー９の円周方向での撓み変形が大きくなるように、軟質樹脂で横断面形状がＩ形状に成形されている。
【００３７】
前記各ハンガーアーム４の基部４Ａと先端部には、当該ハンガーアーム４の上面４ａとの間で干し物を挾持保持する略「つ」の字状のクリップ部４Ｂ，４Ｃが一体形成されているとともに、前記各ハンガーアーム４のウェブ４Ｄの長手方向中央位置から基端にかけての略半領域の三箇所には、ハンガーアーム４の上側フランジ４Ｅと下側フランジ４Ｆに連続する状態で円筒状の補強筒部４Ｇが一体形成されている。
【００３８】
前記落し込み融通手段Ｂは、前記上側取付けカバー９の仕切り壁部９Ｅ間にわたって設けたハンガーアーム４の揺動支点となる揺動支点軸１１と、当該揺動支点軸１１に対して回動並びにアーム長手方向に摺動自在に嵌合される状態でハンガーアーム４の基部４Ａに形成された長孔１２とから構成されている。
【００３９】
前記ハンガーアーム４の基部４Ａの基端側には、図１０に示すように、前記上側取付けカバー９の揺動支点軸１１の脱着を許容する状態で長孔１２の内周面の一部と基部４Ａの外周面の一部とに亘る脱着通路１３が連通形成されているとともに、前記脱着通路１３の外側部位には、揺動支点軸１１に対してハンガーアーム４の基部４Ａにおける脱着通路１３の開口部位を当て付けて押し込み操作したとき、ハンガーアーム４の基部４Ａを揺動支点軸１１が通過可能な通路幅にまで拡張変形させるためのカム面１４が形成されている。
【００４０】
前記格納保持手段Ｃは、前記各ハンガーアーム４の基部４Ａ側のクリップ部４Ｂからハンガーアーム４の基端側に向って突出形成される係止突起１６と、格納姿勢にあるハンガーアーム４の係止突起１６に対して落し込み方向で相対向する状態で基台３の構成部材である上側取付けカバー９の天板部９Ｃに形成された係合凹部１７とから構成されている。
【００４１】
前記各ハンガーアーム４の係止突起１６が落し込み方向から係合する上側取付けカバー９側の前記係合凹部１７が、基台３の周方向に沿う円環状の係合周溝に構成されている。
前記係合凹部１７である係合周溝の外周側を構成する天板部９Ｃの外周壁部９ｄの外周面には、ハンガーアーム４の揺動支点軸１１周りでの起立揺動操作に連れて当該ハンガーアーム４が長孔１２の空隙の範囲内で下方に滑り移動しても、前記ハンガーアーム４の基部４Ａ側のクリップ部４Ｂに突出形成されている係止突起１６との当接に連れて前記外周壁部９ｄを乗り越え移動可能な高さ位置にまで当該ハンガーアーム４を持ち上げ案内する第２カム面１８が形成されている。
【００４２】
前記ハンガーアーム４が揺動支点軸１１周りで格納姿勢に切り替えられたとき、図１０の（ｂ）、（ｃ）に示すように、上側取付けカバー９の天板部９Ｃの外周縁側に位置する外周壁部９ｄの内周面と前記ハンガーアーム４の基部４Ａ側のクリップ部４Ｂに突出形成されている係止突起１６との間に微小な空隙が形成されているため、前記落し込み融通手段Ｂによって格納姿勢に切り替えられたハンガーアーム４は自重で落し込み移動するように構成されている。
そして、自重で落し込み移動したハンガーアーム４は、それの基部４Ａ側のクリップ部４Ｂに突出形成されている係止突起１６が上側取付けカバー９側の係合凹部１７を構成する係合周溝に係合しているため、この状態でハンガーアーム４を揺動支点軸１１周りで吊下げ姿勢側に揺動操作しても、ハンガーアーム４の基部４Ａ側の係止突起１６が上側取付けカバー９側の外周壁部９ｄの内周面と当接し、それ以上の揺動が阻止される。
そのため、自重で落し込み移動したハンガーアーム４は、上側取付けカバー９側の外周壁部９ｄを乗り越える位置にまで持ち上げ操作しない限り吊下げ姿勢への揺動切り替えが不能な状態に保持されることになる。
【００４３】
前記仕切り壁部９Ｅ群の周方向での対向面間隔は、ハンガーアーム４の基部４Ａの幅よりも若干広く形成され、隣接する仕切り壁部９Ｅの対向面とハンガーアーム４の基部４Ａとの間に存在する空隙が、前記格納保持手段Ｃに格納姿勢で保持されたハンガーアーム４の基台３周方向での一定範囲内での揺れ動きを許容する融通に構成されている。
【００４４】
前記取付け位置変更手段Ａを構成するに、図６〜図９に示すように、前記吊下げ杆２の両中央条溝２ａ間に位置する中央仕切り壁部２ｃのうち、基台３の上側取付け位置及び下側取付け位置に相当する部位を、昇降ガイド溝とならない他方の中央条溝２ａ側に張り出す状態で屈曲形成して、昇降ガイド溝となる一方の中央条溝２ａの上側取付け位置及び下側取付け位置において開口する係合凹部２０、２１が形成されている。
【００４５】
また、前記昇降筒体７の中央筒体部７Ｄには、前記両係合凹部２０、２１に対して選択的に係合可能で、かつ、一方の中央条溝２ａに沿って摺動可能な係止突起２２を備えた二分割構造の係止操作部材２３が外装され、この係止操作部材２３の内周面と昇降筒体７の中央筒体部７Ｄの外周面との間には、前記係止突起２２が係合凹部２０、２１から離脱する係止解除位置に係止操作部材２３を摺動操作するための係止解除操作空間２４が形成されている。
【００４６】
前記係止操作部材２３は、前記係止突起２２を一体形成してある第１分割操作体２３Ａと、当該第１分割操作体２３Ａの両分割端面に形成された係止爪２３ａが係合する係止溝２３ｂを備えた第２分割操作体２３Ｂとからなり、前記第２分割操作体２３Ｂの内面に一体形成されたバネ受け突起２５とこれに相対向する状態で昇降筒体７の中央筒体部７Ｄの外面に一体形成されたバネ受け突起２６とにわたって、前記係止操作部材２３と一体的に係止突起２２を係合側に移動付勢する圧縮コイルバネ２７が設けられている。
【００４７】
そして、前記ハンガーアーム４を備えた基台３の取付け位置を変更する場合には、前記昇降筒体７の下側筒体部７Ｅを把持した手の親指で第２分割操作体２３Ｂの押圧操作面２３ｃを圧縮コイルバネ２７の弾性付勢力に抗して押し込み操作すると、水平方向に係止操作部材２３と一体的に移動する係止突起２２の先端部が上側取付け位置にある係合凹部２０又は下側取付け位置にある係合凹部２１から抜け出す。
【００４８】
この係止解除状態で昇降筒体７を吊下げ杆２に対して下降又は上昇操作すると、係止突起２２が一方の中央条溝２ａを構成する両内側壁面に沿って摺接案内され、変更対象位置に到達した時点で係止突起２２の先端部が圧縮コイルバネ２７の弾性復元力で下側取付け位置にある係合凹部２１又は上側取付け位置にある係合凹部２０に係合移動し、ハンガーアーム４を備えた基台３が吊下げ杆２に固定される。
【００４９】
尚、一般的な操作として、係止解除された係止突起２２が一方の中央条溝２ａを構成する両内側壁面に摺接する時点で、第２分割操作体２３Ｂの押圧操作面２３ｃに対する押し込み操作力を解除する。
【００５０】
前記掛止位置変更手段Ｄを構成するに、図１〜図６及び図１１、図１２に示すように、前記吊下げ杆２の上端部に一体形成した一対の取付け板部２ｄには、当該両取付け板部２ｄ間に入り込み可能な連結板部３０Ａを備えた揺動連結部材３０が横軸芯周りで揺動自在に枢支連結されているとともに、前記揺動連結部材３０の上半部に形成された嵌合凹部３０Ｂには、前記吊下げフック１の下側縦軸部１Ａに形成された嵌合爪３１が抜止め状態で回転のみ自在に上方から嵌合装着されている。
【００５１】
前記揺動連結部材３０の連結板部３０Ａの両側面には、吊下げ杆２の両取付け板部２ｄの揺動軸芯位置に貫通形成された支承孔３２に回転自在に支承される揺動支点突起３３が一体形成されているとともに、前記吊下げ杆２の両取付け板部２ｄと揺動連結部材３０の連結板部３０Ａとの間には、吊下げ杆２に対して吊下げフック１を横軸芯周りの揺動経路中の中央掛止位置と複数（当該実施形態では二箇所）の横掛止位置とで選択的に係止保持可能な係止機構３４が設けられている。
【００５２】
前記係止機構３４を構成するに、前記吊下げ杆２の両取付け板部２ｄの相対向する内側面には、揺動横軸芯を通る水平方向に沿う係止突起３４ａが一体的に突出形成されているとともに、前記揺動連結部材３０の連結板部３０Ａの両側面には、前記係止突起３４ａと選択的に係合する第１係合溝３４ｂ〜第３係合溝３４ｄが形成されている。
【００５３】
前記第１係合溝３４ｂは、吊下げ杆２に対して吊下げフック１が中央掛止位置（吊下げ杆２の中心軸線Ｙ上に吊下げフック１の下側縦軸部１Ａの中心線が一直線に位置する状態）にあるとき前記係止突起３４ａと係合する。
【００５４】
前記第２係合溝３４ｃは、吊下げ杆２に対して吊下げフック１が第１横掛止位置（吊下げ杆２の中心軸線Ｙに対して吊下げフック１の下側縦軸部１Ａの中心線が第１設定回転角度（当該実施形態では２２．５度）だけ揺動した状態）にあるとき前記係止突起３４ａと係合する。
【００５５】
前記第３係合溝３４ｄは、吊下げ杆２に対して吊下げフック１が第２横掛止位置（吊下げ杆２の中心軸線Ｙに対して吊下げフック１の下側縦軸部１Ａの中心線が第２設定回転角度（当該実施形態では４５度）だけ揺動した状態）にあるとき前記係止突起３４ａと係合する。
【００５６】
前記揺動連結部材３０の連結板部３０Ａの底面には、図６に示すように、吊下げ杆２に対して吊下げフック１が中央掛止位置にあるとき、前記吊下げ杆２の両取付け板部２ｄ間の底面２ｅに当接して横掛止位置とは逆方向への揺動を阻止する第１揺動制限突起３６と、吊下げ杆２に対して吊下げフック１が第２横掛止位置にあるとき、前記吊下げ杆２の両取付け板部２ｄ間の底面２ｅに当接してそれ以上の揺動を阻止する第２揺動制限突起３７とが一体形成されている。
【００５７】
前記上側取付けカバー９の大径筒部９Ｂの外周面には、図１〜図４に示すように、第１横掛止位置又は第２横掛止位置に変更された吊下げフック１を扉の上端や引き出しの把手等に掛止して使用する際、扉面や引き出しの前面等の固定部Ｗに当接して第１横掛止位置又は第２横掛止位置にある吊下げフック１とで物干し器を所定姿勢に安定良く保持するための一対の当り部２９が一体形成されている。
【００５８】
前記吊下げフック１の下側縦軸部１Ａには、前記揺動連結部材３０の上端面に当接する鍔部１Ｂが一体形成されているとともに、前記嵌合爪３１に形成されている縮径変形用のスリット３１ａのうち、前記揺動連結部材３０の上下中間部に貫通形成された開口部３０Ｃを通して外部に露出する中間部位に、嵌合爪３１の縮径変形を阻止する抜け出し防止用ピン３５が装着されている。
【００５９】
前記取付け位置変更手段Ａの係止突起２２の先端部が上側取付け位置にある係合凹部２０に係合して、ハンガーアーム４を備えた基台３が吊下げ杆２の上側取付け位置に固定されている状態では、図６（ｂ）に示すように、隣接間隔規制部材５のボス部及び昇降筒体７の上側筒体部７Ｂが揺動連結部材３０に外嵌するため、吊下げフック１側の揺動連結部材３０は吊下げ杆２の両取付け板部２ｄに対して揺動することはできない。
【００６０】
また、ハンガーアーム４を備えた基台３が吊下げ杆２の上側取付け位置に固定されている状態では、ハンガーアーム４を揺動支点軸１１周りで格納姿勢側に揺動操作しても、格納姿勢に至る前の段階でハンガーアーム４の基部４Ａ側の係止突起１６が隣接間隔規制部材５の上面に当るため、ハンガーアーム４を格納姿勢に切り替えることはできない。
【００６１】
そして、前記吊下げフック１を、例えば物干し竿に掛止して使用する場合には、前記吊下げ杆２の上部と吊下げフック１との間に設けられた掛止位置変更手段Ｄによって、前記吊下げフック１を吊下げ杆２の直上又は略直上に位置する中央掛止位置に設定することにより、図５に示すように、複数のハンガーアーム４を吊下げ姿勢で放射状態に展開させた通常の使用形態を現出することができる。
【００６２】
また、前記吊下げフック１を、扉の上端や引き出しの把手等に掛止して使用する場合には、図１〜図３に示すように、前記取付け位置変更手段Ａの係止突起２２の先端部が下側取付け位置にある係合凹部２１に係合して、ハンガーアーム４を備えた基台３が吊下げ杆２の下側取付け位置に固定されている状態において、扉や引き出し側に位置して使用不能となる略半周領域の複数本のハンガーアーム４群を格納姿勢に切り替えるとともに、前記掛止位置変更手段Ｄによって、中央掛止位置にある吊下げフック１を、格納姿勢にあるハンガーアーム４の隣接間を通して外方に突出する第１横掛止位置又は第２横掛止位置に変更する。
次に、第１横掛止位置又は第２横掛止位置に変更された吊下げフック１を扉の上端や引き出しの把手等に掛止するとともに、上側取付けカバー９の大径筒部９Ｂの外周面に形成されている一対の当り部２９を扉面や引き出しの前面等の固定部Ｗに当接させることにより、物干し器の中心に位置する吊下げ杆２の傾きを抑制することができ、吊下げ姿勢にある残りのハンガーアーム４群を物干し可能な水平又はそれに近い状態に維持して便利に使用することができる。
【００６３】
また、前記吊下げフック１を、扉の上端や引き出しの把手等に掛止して使用する場合には、上述の如く、扉や引き出し側に位置する略半周領域のハンガーアーム４群が使用不能となるため、当該実施形態では、前記当り部２９の存在側において使用不能となる略半周領域のハンガーアーム４群と吊下げフック１とを、使用可能な略半周領域のハンガーアーム４群と異なる着色を施して、格納姿勢に切り替え操作すべきハンガーアーム４群を視覚的に明確にするとともに、第１横掛止位置又は第２横掛止位置に変更される吊下げフック１の通し位置も視覚的に明確にしてある。
【００６４】
尚、前記当り部２９の存在側において使用不能となる略半周領域のハンガーアーム４群の一部分と吊下げフック１の一部分に、使用可能な略半周領域のハンガーアーム４群と視覚的に識別するための識別ライン等の識別マークを施してもよい。
【００６５】
前記各ハンガーアーム４を格納姿勢に保持する格納保持手段Ｃが各ハンガーアーム４の基部を支持する基台３側に設けられているから、格納姿勢にある各ハンガーアーム４の先端側での拘束力が弱くなり、しかも、吊下げ杆２の上端部に設けられる隣接間隔規制部材５の凹部５ａは、ハンガーアーム４を設定隣接間隔で出入り自在に遊嵌保持するため、この凹部５ａからハンガーアーム４を簡単に取り外すことができ、さらに、前記各ハンガーアーム４が、基台３の上側取付けカバー９の円周方向での撓み変形が大きくなる軟質樹脂で成形され、かつ、前記格納保持手段Ｃに格納姿勢で保持されたハンガーアーム４の基台３周方向での一定範囲内での揺れ動きを許容する融通が形成されていることとにより、ハンガーアーム４の隣接間に第１横掛止位置又は第２横掛止位置に変更される吊下げフック１を挿通させるための空隙を容易に現出することができる。
【００６６】
さらに、当該実施形態では、前記各ハンガーアーム４を、上下方向での曲げ剛性が高く、且つ、基台３の上側取付けカバー９の円周方向での撓み変形が大きくなるように、軟質樹脂で横断面形状がＩ形状に成形しているため、ハンガーアーム４の隣接間に第１横掛止位置又は第２横掛止位置に変更される吊下げフック１を挿通させるための空隙を容易に現出することができる。
【００６７】
〔第２実施形態〕
上述の第１実施形態では、前記ハンガーアーム４を揺動支点軸１１周りで格納姿勢に切り替えたとき、上側取付けカバー９の天板部９Ｃの外周縁側に位置する外周壁部９ｄの内周面と前記ハンガーアーム４の基部４Ａ側のクリップ部４Ｂに突出形成されている係止突起１６とを非接触状態にして、格納姿勢に切り替えられたハンガーアーム４を自重で落し込み移動するように構成したが、図１４に示すように、前記ハンガーアーム４を揺動支点軸１１周りで格納姿勢に切り替えたとき、上側取付けカバー９の天板部９Ｃの外周縁側に位置する外周壁部９ｄの内周面と前記ハンガーアーム４の基部４Ａ側のクリップ部４Ｂに突出形成されている係止突起１６とを接触状態にして、格納姿勢に切り替えられたハンガーアーム４を人為的な押しこみ操作力で落し込み移動させるように構成してもよい。
【００６８】
この第２実施形態では、前記上側取付けカバー９の天板部９Ｃの外周縁側に位置する外周壁部９ｄを上方ほど直径方向内方側に位置する傾斜姿勢に構成し、前記ハンガーアーム４を揺動支点軸１１周りで格納姿勢に切り替えたとき、前記係止突起１６の先端部が外周壁部９ｄの上端部の内周面側に接触させ、人為的な押し込み操作に伴って外周壁部９ｄが直径方向外方に弾性変形するように構成してある。
【００６９】
尚、前記係止突起１６の先端部が外周壁部９ｄの上端部の内周面側に接触している状態において、格納姿勢に切り替えられたハンガーアーム４を下方に人為的に押し込み操作したとき、前記係止突起１６を弾性変形させる又は外周壁部９ｄと係止突起１６とを弾性変形させるように構成してもよい。
【００７０】
また、前記ハンガーアーム４を揺動支点軸１１周りで格納姿勢に切り替えたとき、前記係止突起１６の先端部と外周壁部９ｄの上端部の内周面とが接触して一時的に摺接抵抗が発生するように構成してもよい。
尚、その他の構成は、第１実施形態で説明した構成と同一であるから、同一の構成箇所には、第１実施形態と同一の番号を付記してそれの説明は省略する。
【００７１】
〔その他の実施形態〕
（１）上述の実施形態では、前記吊下げ部１を吊下げフックから構成したが、開閉操作可能な挾持具から構成してもよく、吊下げフックに挾持具を結合したものから構成してもよい。
【００７２】
（２）前記落し込み融通手段Ｂとしては、前記ハンガーアーム４の基部４Ａに形成された長孔１２の構造に限定されるものではなく、前記格納姿勢に切り替えられたハンガーアーム４の落し込み移動を許容することのできる構造であれば、如何なる構造のものを用いてもよい。
【００７３】
（３）上述の第１実施形態では、前記各ハンガーアーム４の基部４Ａ側のクリップ部４Ｂからハンガーアーム４の基端側に向って係止突起１６を突出形成したが、この係止突起１６を、前記クリップ部４Ｂとは別の部位からハンガーアーム４の基端側に向って突出形成してもよい。
また、上側取付けカバー９の天板部９Ｃに形成される係合凹部１７の形状も種々変更可能である。
要するに、前記格納保持手段Ｃとしては、ハンガーアーム４の落し込み移動で当該ハンガーアーム４を揺動切り替え不能な状態で格納姿勢に保持することのできるものであれば、如何なる構造のものを用いてもよい。
【００７４】
（４）上述の第１実施形態では、前記吊下げ杆２と基台３との間に、吊下げ杆２の上下方向の２位置で基台３を選択的に係合保持可能な取付け位置変更手段Ａを設けたが、吊下げ杆２の上下方向の３位置以上で基台３を選択的に係合保持可能に構成してもよい。
また、上述の第１実施形態では、前記ハンガーアーム４を備えた基台３が吊下げ杆２の上側取付け位置に固定されている状態では、ハンガーアーム４を格納姿勢に保持できない構成になっていたが、前記ハンガーアーム４を備えた基台３が吊下げ杆２の何れの位置にある場合でも、ハンガーアーム４を格納姿勢に切り替え保持することができるように構成してもよい。
さらに、上述のような取付け位置変更手段Ａを備えていない物干し器に本発明の技術を適用してもよい。
【００７５】
（５）前記掛止位置変更手段Ｄとしては、少なくとも吊下げ部１が吊下げ杆２の直上又は略直上に位置する中央掛止位置と、格納姿勢に切り替えられたハンガーアーム４の隣接間を通して吊下げ部１が外方に突出する横掛止位置との二位置に変更することのできるものであれば、如何なる構造のものを用いてもよい。
【符号の説明】
【００７６】
Ｂ        落し込み融通手段
Ｃ        格納保持手段
１        吊下げ部（吊下げフック）
２        吊下げ杆
３        基台
４        ハンガーアーム
４Ａ      基部
４Ｂ      クリップ部
５        隣接間隔規制部材
５ａ      凹部
１１      揺動支点軸
１２      長孔
１３      脱着通路
１６      係止突起
１７      係合凹部
【図１】
0005904317.tif 000002
【図２】
0005904317.tif 000003
【図３】
0005904317.tif 000004
【図４】
0005904317.tif 000005
【図５】
0005904317.tif 000006
【図６】
0005904317.tif 000007
【図７】
0005904317.tif 000008
【図８】
0005904317.tif 000009
【図９】
0005904317.tif 000010
【図１０】
0005904317.tif 000011
【図１１】
0005904317.tif 000012
【図１２】
0005904317.tif 000013
【図１３】
0005904317.tif 000014
【図１４】
0005904317.tif 000015